(57)【要約】      （修正有）【課題】暗所において使用するユーザが容易に通信接続の切断操作に移行できる携帯通信端末を提供する。【解決手段】携帯通信端末は、ユーザによって操作される切断キーと、送受信部１０１と、音声検出部１０２と、タイマ１０７と、状態情報検出部と、制御部と、操作部用照明装置１０４とを具備する。音声検出部１０２は、他の通信装置と通信接続中の音声信号が、所定の閾値以下の大きさであることを検出して音声無感信号を発行する。タイマ１０７は、音声無感信号に応答して一定時間間隔で時刻をカウントする。状態情報検出部は、音声無感信号に応答して、ユーザに対する相対位置に基づく状態情報を検出する。制御部は、一定時間間隔毎に状態情報を参照し、ユーザとの相対位置が閾値以上であるかを判定し、この相対位置が閾値以上である場合、終話通知信号を発行する。操作部用照明装置１０４はこの終話通知信号に応答して切断キーを点灯する。【選択図】図１
2007189588.tif 000002
【特許請求の範囲】
【請求項１】
（Ａ）他の通信装置との間で通信接続している携帯通信端末において、所定の閾値以上の音量の音声が入力されていないことを検出するステップと、
（Ｂ）前記閾値以上の音量の音声が入力されていないことを検出した時刻から所定の時間内に、前記所定の閾値以上の音量の音声の入力を監視するステップと、
（Ｃ）前記所定の時間内において、一定時間毎に前記携帯通信端末と前記携帯通信端末を利用するユーザとの相対位置を監視するステップと、
（Ｄ）前記所定の時間内において前記所定の閾値以上の音量の音声が入力されないことを検出し、且つ前記相対位置が所定の閾値以上であることを検出すると、前記通信接続を切断する旨を通知するステップとを備える
終話通知方法。
【請求項２】
請求項１に記載の終話通知方法において、
前記ステップ（Ｃ）は、前記所定の時間内において、一定時間毎に前記携帯通信端末の温度検出部が前記携帯通信端末の周辺温度を検出するステップであり、
前記ステップ（Ｄ）は、前記所定の時間内において前記所定の閾値以上の音量の音声が入力されないことを検出し、且つ前記一定時間毎の前記周辺温度の温度差が所定の閾値以上である場合、前記通信接続を切断する旨を通知するステップである
終話通知方法。
【請求項３】
請求項１に記載の終話通知方法において、
前記ステップ（Ｃ）は、前記所定に時間内において、一定時間毎に前記携帯通信端末と前記ユーザとの間の距離を測定するステップであり、
前記ステップ（Ｄ）は、前記所定の時間内において前記所定の閾値以上の音量の音声が入力されないことを検出し、且つ前記距離が所定の閾値以上となる場合、前記通信接続を切断する旨を通知するステップである
終話通知方法。
【請求項４】
請求項１に記載の終話通知方法において、
前記ステップ（Ｃ）は、前記所定の時間内において、前記携帯通信端末の血流検出部が一定時間毎に前記ユーザの血流の有無を監視するステップであり、
前記ステップ（Ｄ）は、前記所定の時間内において前記所定の閾値以上の音量の音声が入力されないことを検出し、且つ前記血流検出部が、前記血流がないことを検出する場合、前記通信接続を切断する旨を通知するステップである
終話通知方法。
【請求項５】
請求項１に記載の終話通知方法において、
前記ステップ（Ｃ）は、前記所定の時間内において、前記携帯通信端末の光量測定部が一定時間毎に前記携帯通信端末の周辺光量を測定するステップであり、
前記ステップ（Ｄ）は、前記所定の時間内において前記所定の閾値以上の音量の音声が入力されないことを検出し、且つ前記周辺光量が所定の閾値以上である場合、前記通信接続を切断する旨を通知するステップである
終話通知方法。
【請求項６】
請求項１に記載の終話通知方法において、
前記ステップ（Ｃ）は、前記所定の時間内において、前記携帯通信端末の角速度測定部が一定時間毎に前記携帯通信端末の角速度を測定するステップであり、
前記ステップ（Ｄ）は、前記所定の時間内において前記所定の閾値以上の音量の音声が入力されないことを検出し、且つ前記角速度が所定の閾値以上である場合、前記通信接続を切断する旨を通知するステップである
終話通知方法。
【請求項７】
携帯通信端末の音声記憶メモリに特定の自然言語を表す情報を登録するステップと、
前記携帯通信端末が他の通信装置と通信接続するステップと、
前記携帯通信端末に入力された音声信号から自然言語に対応する音声信号を抽出するステップと、
前記音声信号から抽出された音声信号と前記音声記憶メモリ内の特定の自然言語を表す音声信号が一致する場合、前記通信接続を切断する旨を通知するステップとを具備する
終話通知方法。
【請求項８】
請求項１から７いずれか１項に記載の終話通知方法において、
前記通信接続を切断する旨を通知した後、前記通信接続を切断するステップとを更に備える
終話通知方法。
【請求項９】
請求項１か８いずれか1項に記載の終話通知方法において、
前記通信接続を切断する旨を通知するステップは、前記携帯通信端末の操作部の少なくとも一部を点灯するステップを含む
終話通知方法。
【請求項１０】
ユーザによって操作される切断キーと、
他の通信装置と通信接続し、前記切断キーが操作されることによって発行される終話通知信号に応答して前記他の通信装置との通信接続を切断する送受信部と、
前記他の通信装置と通信接続中の前記送受信部から出力される音声信号が、所定の閾値以下の大きさであることを検出して音声無感信号を発行する音声検出部と、
前記音声無感信号に応答して一定時間間隔で時刻をカウントするタイマと、
前記音声無感信号に応答して、前記ユーザに対する相対位置に基づく状態情報を検出する状態情報検出部と、
前記時刻に基づき、一定時間間隔毎に前記状態情報を参照して前記ユーザとの相対位置が閾値以上であるかを判定し、前記相対位置が閾値以上である場合、終話通知信号を発行する制御部と、
前記終話通知信号に応答して前記切断キーを点灯する操作部用照明装置とを具備する
携帯通信端末。
【請求項１１】
請求項１０に記載の携帯通信端末において、
前記状態情報検出部は、周辺温度を測定する体温検出部であり、
前記体温検出部は、前記音声無感信号に応答して前記一定時間間隔で前記周辺温度を前記制御部に出力し、
前記制御部は、前記一定時間毎の前記周辺温度の温度差を算出し、前記温度差が所定の閾値以上である場合、前記終話通知信号を発行する
携帯通信端末。
【請求項１２】
請求項１０に記載の携帯通信端末において、
前記状態情報検出部は、距離測定部であり、
前記距離測定部は、前記音声無感信号に応答して前記一定時間間隔で前記ユーザとの距離を測定して、前記距離を前記制御部に出力し、
前記制御部は、前記距離が所定の閾値以上となる場合、前記終話通知信号を発行する
携帯通信端末。
【請求項１３】
請求項１０に記載の携帯通信端末において、
前記状態情報検出部は、血流検出部であり、
前記血流検出部は、前記音声無感信号に応答して前記ユーザの脈拍を測定して、前記脈拍に応じた信号を前記制御部に出力し
前記制御部は、前記脈拍に応じた信号を参照して、前記一定時間の間に前記脈拍がないことを検出した場合、前記終話通知信号を発行する
携帯通信端末。
【請求項１４】
請求項１０に記載の携帯通信端末において、
前記状態情報検出部は、光量測定部であり、
前記光量測定部は、前記音声無感信号に応答して前記一定時間間隔で周辺の光量を測定して、前記光量を前記制御部に出力し、
前記制御部は、前記光量が所定の閾値以上となる場合、前記終話通知信号を発行する
携帯通信端末。
【請求項１５】
請求項１０に記載の携帯通信端末において、
前記状態情報検出部は、角速度測定部であり、
前記角速度測定部は、前記音声無感信号に応答して前記一定時間間隔で角速度を測定して、前記角速度を前記制御部に出力し、
前記制御部は、前記角速度に基づく移動度が所定の閾値以上となる場合、前記終話通知信号を発行する
携帯通信端末。
【請求項１６】
請求項１０から１５いずれか１項に記載の携帯通信端末において、
前記他の通信装置と通信接続中の前記送受信部から出力される音声信号が、所定の閾値より小さい大きさであることを検出すると、前記音声検出部は音声入力信号を発行し、
前記タイマは、前記音声入力信号に応答して、前記時刻のカウントを停止する
携帯通信端末。
【請求項１７】
ユーザの操作に操作される切断キーと、
他の通信装置と通信接続し、前記切断キーを操作されることによって発行される終話通知信号に応答して前記他の通信装置との通信接続を切断する送受信部と、
前記他の通信装置と通信接続中の前記送受信部から出力される音声信号を解析し、前記音声信号から自然言語に対応する音声信号を抽出する音声識別部と、
特定の自然言語に対応する音声信号を保持する音声記憶メモリと、
前記音声識別部から出力される音声信号が前記音声記憶メモリ内の音声信号と一致する場合、終話通知信号を発行する制御部と、
前記終話通知信号に応答して前記切断キーを点灯する操作部用照明装置とを具備する
携帯通信端末。
【請求項１８】
請求項１０から１７いずれか１項に記載の携帯通信端末において、
前記送受信部は、前記終話通知信号に応答して、前記他の通信装置との間の通信接続を切断する
携帯通信端末。
【請求項１９】
請求項１０から１８いずれか1項に記載の携帯通信端末において、
ユーザの操作によって操作される操作キーを更に具備し、
前記操作部用照明装置は、前記終話通知信号に応答して前記操作キーを点灯する
携帯通信端末。
【請求項２０】
請求項１０から１９いずれか１項に記載の携帯通信端末において、
前記送受信部から出力される音声信号に基づく音声を出力する受話部を更に具備し、
前記受話部は、前記終話通知信号に応答して前記他の通信装置との間の通信接続を切断することを通知する音を出力する
携帯通信端末。
【発明の詳細な説明】
【技術分野】
【０００１】
本発明は、携帯通信端末に関し、特に、ユーザに終話を促す携帯通信端末、及びユーザに終話を促す終話通知方法に関する。
【背景技術】
【０００２】
近年、携帯電話機やＰＨＳ（Ｐｅｒｓｏｎａｌ  Ｈａｎｄｙ−Ｐｈｏｎｅ  Ｓｙｓｔｅｍ）等に代表される携帯通信端末が広く普及している。このような携帯通信端末は、内蔵するバッテリーの容量が限られるため、省電力化に向けた開発が特に重要視されている。一般に、ユーザが電話番号の入力、発呼や回線の切断の際に操作するキー（以下、操作部と称す）は、ＬＥＤ（Ｌｉｇｈｔ  Ｅｍｉｔｔｉｎｇ  Ｄｉｏｄｅ）等のバックライトを有している。このバックライトは消費電力を低減するため、操作部が操作される時に点灯し、一定時間操作されない時に消灯するように設計されている。このため、通話中（通信回線接続中）にはバックライトは消灯していることが通常である。又、バックライトを常時点灯しない省電力モードの機能を有した携帯通信端末も一般的となっている。
【０００３】
このような従来の携帯通信端末では、携帯通信端末のユーザ側から通信接続を切断しようとする時バックライトは消灯していることが多い。このため、夜間や暗所等の光量の足りない環境では、当該ユーザが終話操作（操作部の切断キーを押下して通信回線を切断する動作）を行う際に切断キーの位置を把握できず、終話操作を行う事が困難となっている。例えば、ユーザは切断キーの位置を把握できないため、誤って切断キー以外のキーを押下してしまうことがある。このとき、例えば音声通信の保留などに移行してしまうと、通信料が余計に掛かってしまう。又、操作部の任意のキーを押下してバックライトを点灯させることで切断キーを探し、終話操作を行うユーザも多い。しかし、このような方法では、音声通信の延長などにより、通信料の増大や消費電力の増大を招いてしまう。
【０００４】
一方、携帯通信端末におけるバックライトの点灯制御に関する技術が以下の開示例に記載されている。
特開２００２−０７７３５６号公報には、周囲の明るさに応じてバックライトの点灯制御を行う携帯電話端末が記載されている（特許文献１参照）。特許文献１に記載の携帯電話端末は、マイクからの信号及びスピーカへの出力信号と、無音時の基準信号とのを比較することで通話終了を検出し、周囲の明るさに応じてバックライトを点灯させる。しかし、暗所で通話しているユーザ及び通話相手が無言になる場面は多くある。特許文献１に記載の携帯電話端末では、周囲が暗い条件下で無音状態を一定時間検出するとバックライトを点灯する。このためユーザが通話中であってもバックライトを点灯してしまうことが頻発する。
【０００５】
特開２００３−０２３４９１号公報には、通話開始から所定の時間経過すると切断キーに対応するＬＥＤのみを点灯する携帯通信端末が記載されている（特許文献２参照）。しかし、特許文献２に記載の携帯通信端末では、ユーザの通話時間にかかわらず所定の時間が経過すると切断キーが点灯するため消費電力が増大してしまう。
【０００６】
特開２００３−０３７６５６号公報には、接触センサを備え、接触センサからの出力に応じてバックライトの点灯制御を行う携帯通信端末が記載されている（特許文献３参照）。特許文献３に記載の携帯通信端末は、接触センサが検出する接触圧に基づく出力レベルが所定の値を越えた場合、バックライトを消灯させている。しかし、終話時におけるバックライトの点灯制御は記載されていない。
【０００７】
上記の開示例では、携帯端末を使用するユーザが、通信接続の切断を希望している状態（以下、終話状態と称す）になっているかどうかの判定基準が低い、あるいは開示されていないため、終話状態でない時にバックライトを点灯する可能性が高くなる。このため、終話状態にならない場合でもバックライトが点灯する頻度が高まり、無駄な電力を消費してしまう。
【０００８】
又、終話状態を判定するための関連技術として、特開平１１−０６８９１０号公報に、音声認識回路で終話状態に関連する言葉を検出し、通信接続を解除する携帯通信端末が記載されている（特許文献４参照）。
【特許文献１】特開２００２−０７７３５６号公報
【特許文献２】特開２００３−０２３４９１号公報
【特許文献３】特開２００３−０３７６５６号公報
【特許文献４】特開平１１−０６８９１０号公報
【発明の開示】
【発明が解決しようとする課題】
【０００９】
本発明の目的は、暗所において使用するユーザが、容易に通信接続の切断操作に移行することができる携帯通信端末及び終話通知方法を提供することである。
【００１０】
本発明の他の目的は、通信接続を切断するまでに要する消費電力を低減することができる携帯通信端末及び終話通知方法を提供することである。
【００１１】
本発明の更に他の目的は、ユーザに対する相対位置に応じて通信接続を切断することができる携帯通信端末及び終話通知方法を提供することである。
【課題を解決するための手段】
【００１２】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１３】
本発明による携帯通信端末（１００Ａ、１００Ｂ、１００Ｃ、１００Ｄ、１００Ｅ）は、ユーザによって操作される切断キー（２０５）と、送受信部（１０１）と、音声検出部（１０２）と、タイマ（１０７）と、状態情報検出部（１０５Ａ、１０５Ｂ、１０５Ｃ、１０５Ｄ、１０５Ｅ）と、制御部（１０６Ａ、１０６Ｂ、１０６Ｃ、１０６Ｄ、１０６Ｅ）と、操作部用照明装置（１０４）とを具備する。送受信部（１０１）は、他の通信装置と通信接続し、切断キー（２０５）が操作されることによって発行される終話通知信号に応答して他の通信装置との通信接続を切断する。音声検出部（１０２）は、他の通信装置と通信接続中の送受信部（１０１）から出力される音声信号が、所定の閾値以下の大きさであることを検出して音声無感信号（３０１）を発行する。タイマ（１０７）は、音声無感信号（３０１）に応答して一定時間間隔で時刻をカウントする。状態情報検出部（１０５Ａ、１０５Ｂ、１０５Ｃ、１０５Ｄ、１０５Ｅ）は、音声無感信号（３０１）に応答して、ユーザに対する相対位置に基づく状態情報（３００Ａ、３００Ｂ、３００Ｃ、３００Ｄ、３００Ｅ）を検出する。制御部（１０６Ａ、１０６Ｂ、１０６Ｃ、１０６Ｄ、１０６Ｅ）は、タイマ（１０７）がカウントする時刻に基づき、一定時間間隔毎に状態情報（３００Ａ、３００Ｂ、３００Ｃ、３００Ｄ、３００Ｅ）を参照し、ユーザとの相対位置が閾値（４００Ａ、４００Ｂ、４００Ｄ、４００Ｅ）以上であるかを判定し、この相対位置が閾値以上である場合、終話通知信号（３０３）を発行する。操作部用照明装置（１０４）は、この終話通知信号（３０３）に応答して切断キー（２０５）を点灯する。このように、本発明の携帯通信端末（１００Ａ、１００Ｂ、１００Ｃ、１００Ｄ、１００Ｅ）は、音声の入力がなくなったことを契機に、一定時間毎に状態情報（３００Ａ、３００Ｂ、３００Ｃ、３００Ｄ、３００Ｅ）を監視し、その状態情報（３００Ａ、３００Ｂ、３００Ｃ、３００Ｄ、３００Ｅ）に基づいて携帯通信端末（１００Ａ、１００Ｂ、１００Ｃ、１００Ｄ、１００Ｅ）とユーザとの相対位置が閾値以上であるかどうかを判定することができる。又、ユーザが通話を終了（終話）したいという動作を行う場合、通常、無言状態の後、端末を耳から離すように動作する（終話状態）。このため、音声無感を検知し携帯通信端末（１００Ａ、１００Ｂ、１００Ｃ、１００Ｄ、１００Ｅ）とユーザとの相対位置が閾値以上である場合、ユーザは終話状態である可能性が高い。又、本発明による携帯通信端末（１００Ａ、１００Ｂ、１００Ｃ、１００Ｄ、１００Ｅ）は、この条件に合致すると切断キー（２０５）を点灯する。切断キー（２０５）が点灯するため、終話状態に移行したユーザは、暗所にいても切断キー（２０５）の位置を容易に把握でき、円滑に通信回線を切断することができる。
【００１４】
ここで、第１の態様に係る携帯通信端末（１００Ａ）は、状態情報検出部（１０５）として周辺温度（３００Ａ）を測定する体温検出部（１０６Ａ）を具備する。体温検出部（１０６Ａ）は、音声無感信号（３０１）に応答して一定時間間隔で周辺温度（３００Ａ’）を制御部（１０６Ａ）に出力する。制御部（１０６Ａ）は、一定時間毎の周辺温度の温度差を算出し、この温度差が所定の閾値（４００Ａ）以上である場合、終話通知信号（３０３）を発行する。携帯通信端末（１００Ａ）がユーザから離れると、携帯通信端末（１００Ａ）の周辺温度は大きく変動するため、温度差によって終話状態か否かを判定することは有効である。
【００１５】
第２の態様に係る携帯通信端末（１００Ｂ）は、状態情報検出部（１０５）として距離測定部（１０６Ｂ）を具備する。距離測定部（１０６Ｂ）は、音声無感信号（３０１）に応答して一定時間間隔でユーザとの距離を測定して、測定した距離（３００Ｂ）を制御部（１０６Ｂ）に出力する。制御部（１０６Ｂ）は、距離（３００Ｂ）が所定の閾値（４００Ｂ）以上となる場合、終話通知信号（３０３）を発行する。携帯通信端末（１００Ｂ）がユーザから離れると、測定距離（３００Ｂ）は大きくなるため、距離を測定することで終話状態を判定することは有効である。
【００１６】
第３の態様に係る携帯通信端末（１００Ｃ）は、状態情報検出部（１０５）として血流検出部（１０５Ｃ）を具備する。血流検出部（１０５Ｃ）は、音声無感信号（３０１）に応答してユーザの脈拍を測定して、脈拍に応じた信号（３００Ｃ）を制御部（１０６Ｃ）に出力する。制御部（１０６Ａ）は、脈拍に応じた信号（３００Ｃ）を参照して、一定時間の間に脈拍がないことを検出した場合、終話通知信号（３０３）を発行する。携帯通信端末（１００Ｃ）がユーザから離れるとユーザの脈拍を検知しなくなるため、脈拍の有無を検出することで終話状態を判定することは有効である。
【００１７】
第４の態様に係る携帯通信端末（１００Ｄ）は、状態情報検出部（１０５）として光量測定部（１０５Ｄ）を具備する。光量測定部（１０５Ｄ）は、音声無感信号（３０１）に応答して一定時間間隔で携帯通信端末（１００Ｄ）の周辺の光量を測定して、測定した光量（３００Ｄ）を制御部（１０６Ｄ）に出力する。制御部（１０６Ｄ）は、光量（３００Ｄ）が所定の閾値（４００Ｄ）以上となる場合、終話通知信号（３０３）を発行する。携帯通信端末（１００Ｄ）がユーザから離れると、周辺の光量（３００Ｄ）は大きくなるため、周辺光量を測定することで終話状態を判定することは有効である。
【００１８】
第５の態様に係る携帯通信端末（１００Ｅ）は、状態情報検出部（１０５）として角速度測定部（１０５Ｅ）を具備する。角速度測定部（１０５Ｅ）は、音声無感信号（３０１）に応答して一定時間間隔で携帯通信端末（１００Ｅ）の角速度を測定して、測定した角速度（３００Ｅ）を制御部（１０６Ｅ）に出力する。制御部（１０６Ｅ）は、角速度（３００Ｅ）に基づく移動度が所定の閾値（４００Ｅ）以上となる場合、終話通知信号（３０３）を発行する。携帯通信端末（１００Ｅ）がユーザから離れると、携帯通信端末（１００Ｅ）の移動量は大きくなるため、角速度（３００Ｅ）を測定することで終話状態を判定することは有効である。
【００１９】
第６の態様に係る携帯通信端末（１００Ｆ）は、ユーザによって操作される切断キー（２０５）と、送受信部（１０１）と、音声識別部（１０９）と、音声記憶メモリ（１１０）と、制御部（１０６Ｆ）と、操作部用照明装置（１０４）とを具備する。音声識別部（１０９）は他の通信装置と通信接続中の送受信部（１０１）から出力される音声信号を解析し、この音声信号から自然言語に対応する音声信号（３０４又は３０５）を抽出する。音声記憶メモリ（１１０）は特定の自然言語に対応する音声信号（３０４）を保持する。制御部（１０６Ｆ）は、音声識別部（１０９）から出力される音声信号（３０５）が音声記憶メモリ（１１０）内の音声信号（３０４）と一致する場合、終話通知信号（３０３）を発行する。操作部用照明装置（１０４）は、終話通知信号（３０３）に応答して切断キー（２０５）を点灯する。第６の態様に係る携帯通信端末は、送受信部（１０１）から出力された音声に含まれる自然言語によって終話状態を判定することができる。
【００２０】
更に、本発明による携帯通信端末（１００Ａ、１００Ｂ、１００Ｃ、１００Ｄ、１００Ｅ、１００Ｆ）は制御部（１０６Ａ、１０６Ｂ、１０６Ｃ、１０６Ｄ、１０６Ｅ、１０６Ｆ）が発行する終話通知信号（３０３）に応答して、他の通信装置との間の通信接続を切断することが好ましい。
【発明の効果】
【００２１】
本発明による携帯通信端末及び終話通知方法によれば、暗所において使用するユーザが容易に通信接続の切断操作に移行することができる。
【００２２】
又、通信接続の切断までに要する消費電力を低減することができる。
【００２３】
更に、ユーザに対する相対位置に応じて、通信接続を切断できる。
【発明を実施するための最良の形態】
【００２４】
以下、添付図面を参照して、本発明による携帯通信端末１００の実施の形態が説明される。図面において同一、又は類似の参照符号は、同一、類似、又は等価な構成要素を示している。以下の説明では、本発明による携帯通信端末を操作して使用するユーザを単にユーザと称す。
【００２５】
（第１の実施の形態）
図１から図５を参照して、本発明による携帯通信端末の第１の実施の形態が説明される。
（第１の実施の形態における携帯通信端末の構成）
第１の実施の形態における携帯通信端末１００Ａは、無線回線を介して他の通信装置（例示：基地局を介して接続される他の携帯電話やＰＨＳ）と通信接続し、無線信号によって通話が可能な携帯通信端末である（例示：携帯電話、ＰＨＳ）。第１の実施の形態における携帯通信端末１００Ａは、携帯通信端末１００Ａに音声が入力されたか否かを検出する音声検出部１０２と、周辺温度を検出する体温検出部１０５Ａとを具備する。ここで周辺温度とは、携帯通信端末１００Ａに対するユーザの相対位置によって変化するユーザの体温である。携帯通信端末１００Ａでは、携帯通信端末１００Ａに音声が入力されず、一定時間における周辺温度の温度差が閾値以下である場合、ユーザが通信接続の切断を希望している状態（以下、終話状態と称す）であると判定し、ユーザに対して通信接続を切断する旨を通知する。
【００２６】
図１及び図２を参照して、第１の実施の形態における携帯通信端末１００Ａの構成の詳細が説明される。図１は、本発明による携帯通信端末１００Ａの第１の実施の形態における構成を示すブロック図である。図２は、本発明による携帯通信端末１００の構成を示す外観構成図である。図１を参照して、携帯通信端末１００Ａは、無線信号送受信部１０１、音声検出部１０２、操作部１０３、操作部用照明装置１０４、体温検出部１０５Ａ、制御部１０６Ａ、タイマ１０７、情報記憶装置１０８Ａを具備する。
【００２７】
無線信号送受信部１０１は、制御部１０６Ａからの制御信号に応答して他の通信装置と通信接続し、デジタル信号である無線信号を他の通信装置に送信、あるいは他の通信装置から無線信号を受信する送受信インターフェースを備える。又、送受信する音声信号を変復調処理及びＡ／Ｄ変換処理を行う音声信号処理部を備える。
【００２８】
更に無線信号送受信部１０１は、音声検出部１０２、受話部２０２、及び送話部２０７に接続されている。ここで、図２を参照して受信部２０２は音声信号を音声に変換するスピーカに例示される装置であり、送話部２０７は音声を音声信号に変換し、無線信号送受信部１０１に出力するマイクロフォンに例示される装置である。無線信号送受信部１０１は、通信接続した他の通信装置から送信されるデジタル信号を復調し、アナログ信号である音声信号に変換して受信部２０２に出力する。又、復調したデジタル信号をデジタル受話信号として音声検出部１０２に出力する。更に、送話部２０７から出力される音声信号をデジタル信号であるデジタル送話信号に変換して音声検出部１０２に出力するとともに無線信号に変調し、アンテナ２０１を介して他の通信装置に送信する。
【００２９】
音声検出部１０２は、周囲の雑音等を除く音声の送信又は受信が行われているかを検出するプログラムを実行する演算処理装置と、基準音声データが格納された記憶装置とを備える。音声検出部は、無線信号検出部１０１から入力されるデジタル受話信号又はデジタル送話信号と基準音声データとの比較を行う。音声検出部１０２は入力されるデジタル受話信号及びデジタル送話信号の信号レベルが、基準音声データの信号レベルより所定の時間小さい場合、音声無感信号３０１を制御部１０６Ａに発行する。又、音声無感信号３０１を出力してから、音声検出部１０２に入力されるデジタル受話信号又はデジタル送話信号の信号レベルが、基準デジタルデータの信号レベルより大きい場合、音声入力信号３０２を制御部１０６Ａに発行する。ここで、基準音声データは、デジタル受話信号と比較を行う受話用基準音声データとデジタル送話信号と比較を行う送話用基準音声データの２種類あっても構わない。本実施の形態では、１つの基準音声データとデジタル受話信号及びデジタル送話信号との比較が行われるものとして説明される。
【００３０】
制御部１０６Ａは、ＣＰＵに例示される演算処理装置とＲＯＭ等の記憶装置とを具備し、記憶装置に格納されたプログラムを実行して、無線通信端末１００Ａ内の各装置を制御する。制御部１０６Ａは、無線信号送受信部１０１に対して制御信号を発行し、通信接続・切断処理や無線信号の送受信処理等を制御する。操作部１０３の切断キー２０５が操作されることで出力される信号に応答して無線信号送受信部１０１に終話通知信号を発行し、通信接続を切断させる。更に、音声検出部１０２から発行される音声無感信号３０１に応答して、タイマ１０７を起動して終話状態であるかどうかを判定する終話検出処理を実行する。又、音声入力信号３０２に応答してタイマ１０７を停止するとともに終話検出処理を停止する。終話検出処理の際、終話状態であると判定すると、制御部１０６Ａは操作部用照明装置１０４に対し終話通知信号３０３を発行し、操作部用照明装置１０４を点灯させる。
【００３１】
タイマ１０７は、制御部１０６Ａからの制御信号に応答して、時刻のカウントを実行又は停止するタイマである。制御部１０６Ａは、タイマ１０７のカウントする時刻に基づき、一定時間間隔で体温検出部１０５Ａ及び情報記憶装置１０８Ａから周辺温度の温度情報を取得し、終話状態であるかどうかを判定する。
【００３２】
体温検出部１０５Ａは熱伝対やサーミスタ等に例示される周辺温度を測定する温度センサを備える。体温検出部１０５Ａは制御部１０６Ａからの制御信号に応じて温度センサから周辺温度３００Ａを取得し、検出体温３００Ａ’として制御部１０８に出力する。図２を参照して温度センサは、携帯通信端末１００Ａの受話部２０２に隣接した受話部周辺２０８に設置されることが好ましい。温度センサが受話部周辺２０８に設置されることで通話中のユーザの耳に温度センサが直接触れるため、ユーザの体温（耳の温度）を測定することができる。又、終話したユーザは耳から携帯通信端末１００Ａを遠ざける。このため、ユーザが通話を終了しようとすると（終話状態になると）、温度センサは耳の温度より低い周辺温度を測定することになる。
【００３３】
情報記憶装置１０８Ａは、メモリ等の記憶装置であり、温度検出部１０５Ａから出力された検出体温３００Ａ’を保存体温３００Ａ”として格納する。又、終話状態であるかどうかの判定基準として所定の閾値である基準温度４００Ａを格納している。更に終話検出処理を実行するか否かを決定するための設定情報を格納する。この設定情報は、操作部１０３の操作によって設定されることが好ましい。
【００３４】
操作部１０３は、ユーザが操作するキー（例示：ボタン式スイッチやダイアル式スイッチ）を備え、操作されたキーに応じた信号を制御部１０６に出力して様々な機能を実行させる。図２を参照して、操作部１０３は、応答キー２０４、切断キー２０５、操作キー２０６を具備する。応答キー２０４が操作されると、制御部１０６は無線信号送受信部１０１を制御して他の通信装置と通信接続するための発呼動作又は応答動作を行う。切断キー２０５が操作されると、制御部１０６は無線信号送受信部１０１を制御して他の通信装置との通信接続を切断する。操作キー２０６が操作されることで、テキストデータや、電話番号、アドレス等が、制御部１０６へ入力される。
【００３５】
操作部用照明装置１０４は、ＬＥＤ（Ｌｉｇｈｔ  Ｅｍｉｔｔｉｎｇ  Ｄｉｏｄｅ）に例示される発光素子を有し、制御部１０６の制御信号に応答して点灯及び消灯するバックライトに例示される照明装置である。又、この発光素子は操作部１０３が備える各キーに対応して設けられることが好ましい。操作部用照明装置１０４は、制御部１０６から発行される終話通知信号３０３に応答して、操作部１０３の一部又は全部のキーを点灯又は点滅する。
【００３６】
図５は、終話状態と判定した携帯通信端末１００における操作部用照明装置１０４の点灯パターンを示す概念図である。図５を参照して、Ａパターンとして、操作部用照明装置１０４は終話通知信号３０３に応答して切断キー２０５に対応する発光素子のみを点灯させる。Ａパターンでは、通信接続を切断するための切断キー２０５のみを発光するため、他のキーに対する誤操作を防止するとともに消費電力を抑制する効果も得られる。又、Ｂパターンとして、操作部用照明装置１０４は終話通知信号３０３に応答して操作部１０３全てのキーを点灯する。Ｂパターンでは、特定のキーのみを点灯するための制御装置を必要とせず、点灯を制御する回路を簡略化できる。Ｃパターンとして、終話通知信号３０３に応答して受話部２０２が通信回線の切断を促す音又は音声を出力する。又、携帯通信端末１００は、図示しない終輪通知信号３０３に応答して振動する振動装置（図示なし）を備えていても良い。更に、Ａパターン、Ｂパターン、Ｃパターンをそれぞれ組合せ、音やキーの点灯が同時にあるいは逐次に実行されても構わない。
【００３７】
（第１の実施の形態における携帯通信端末の動作）
以下、図３及び図４を参照して、第１の実施の形態における携帯通信端末１００Ａの終話通知動作について詳細に説明される。図３は、携帯通信端末１００Ａが他の通信装置と通信接続してから終話検出処理に移行するまでの動作の流れを示すフローチャートである。図４は、携帯通信端末１００Ａにおける終話検出処理の動作の流れを示すフローチャートである。
【００３８】
図３を参照して、携帯通信端末１００Ａは待機状態で他の通信装置からの着呼又は発呼処理のためのユーザの操作を待ち受ける（ステップＳ１０１）。無線通信もユーザによる操作も行われていない場合は待機状態で維持する（ステップＳ１０２Ｎｏ）。ユーザによる応答キー２０４の操作によって他の通信装置からの着信に対する応答処理が行われる場合、又は他の通信装置への発呼処理が実行される場合、他の通信装置と携帯通信端末１００Ａは通信接続される（ステップＳ１０２Ｙｅｓ）。通信接続され、ユーザによって音声が入力され、無線信号受信部１０１において音声無線信号の送受信が行われ、音声通信状態へ移行する（ステップＳ１０３）。音声通信状態において、制御部１０６Ａは情報記憶装置１０８Ａから終話検出処理を実行するか否かを決定するための設定情報を取得する。制御部１０６Ａは設定情報を参照し、設定が無効の場合は終話検出処理を実行せず（ステップＳ１０４Ｎｏ）、通信接続が切断されるまで音声通信状態が維持される。ステップＳ１０４において、制御部１０６Ａは設定情報を参照し、設定が有効の場合終話検出処理に移行する（ステップＳ１０４Ｙｅｓ）。制御部１０６Ａは後述するように終話検出処理を実行する（ステップＳ１０６）。終話検出処理が終了した後に、通信接続が切断されると携帯移動端末１００Ａは、再び待機状態に移行する（ステップＳ１０６）。終話検出処理が終了した後、通信接続が維持されている場合はステップＳ１０３に移行して音声通信状態を継続し、ステップＳ１０５において再び終話検出処理が実行される。
【００３９】
図４を参照して、第１の実施の形態における移動通信端末１００Ａの終話検出処理が説明される。ステップＳ１０５において、設定情報に基づき終話検出処理に移行した制御部１０６Ａは、音声検出部１０２からの音声無感信号３０１又は音声入力信号３０２を待ち受ける。携帯通信端末１００Ａにおいて音声通信が持続している場合、すなわち音声入力信号３０２が制御部１０６Ａに入力されている場合（ステップＳ２０２Ｙｅｓ）、制御部１０６Ａは終話検出処理を終了する。この際、タイマ１０７が起動中で、所定の時間を計測している場合（ステップＳ２１８Ｙｅｓ）、制御部１０６Ａはタイマ１０７を制御して所定時間の計測を停止させる（ステップＳ２１６）。
【００４０】
音声検出部１０２から音声無感信号３０１が入力された場合（ステップＳ２０２Ｙｅｓ）、制御部１０６Ａはタイマ１０７に制御信号を発行して所定時間の計測を開始させる（ステップＳ２０４）。タイマ１０７は所定時間が経過すると制御部１０６Ａに通知し（ステップＳ２０６Ｙｅｓ）、時間を通知された制御部１０６Ａは体温検出部２０８から検出体温３００Ａ’を取得する（ステップＳ２０８）。又、制御部１０６Ａは情報記憶装置１０８Ａ内に格納された保存体温３００Ａ”と検出体温３００Ａ’との差と、情報記憶装置１０８Ａに格納されている基準温度４００Ａを比較する終話状態判定処理を行う（ステップＳ２１０）。ここで、情報記憶装置１０８Ａには、初期体温が設定されていても良く、保存体温３００Ａ”が未だ格納されていない場合、この初期体温を保存体温３００”として利用することが好ましい。ステップＳ２１０の終話状態判定処理において保存体温３００Ａ”と検出体温３００Ａ’との差分が基準温度４００Ａより大きい場合（ステップＳ２１０Ｙｅｓ）、制御部１０６Ａは、ユーザと携帯通信装置１００Ａとの相対位置が一定距離以上離れたと判定する。すなわち、制御部１０６Ａはユーザが終話状態になったと判定し、操作部用照明装置１０４に終話通知信号３０３を出力する。操作部用照明装置１０４は、この終話通知信号３０３に応答して、点灯又は点滅する（ステップＳ２１４）。又、制御部１０６Ａは終話通知信号３０３の発行と同時的にタイマ１０７を制御して時間の計測を停止させる（ステップＳ２１６）。
【００４１】
ステップＳ２１０における終話状態判定処理において、保存体温３００Ａ”と検出体温３００Ａ’との差分が基準温度４００Ａより小さい場合（ステップＳ２１０Ｎｏ）、検出体温３００Ａ’を新たな保存体温Ａ”として情報記憶装置１０８Ａに格納する（ステップＳ２１０）。ここで、未だ音声入力信号３０２が制御部１０６Ａに入力されていない場合（ステップＳ２０２Ｙｅｓ）、制御部１０６Ａは引き続きタイマ１０７から所定時間の経過の通知を受ける。制御部１０６Ａはこの通知に応答して検出体温３００Ａ’を取得し（ステップＳ２０８）、終話状態判定処理を実行する（ステップＳ２１０）。制御部１０６Ａは音声入力信号３０２が入力するまで、あるいは保存体温３００Ａ”と検出体温３００Ａ’との差分が基準温度４００Ａより大きくなるまで、ステップＳ２０４からステップ２１２までの処理を繰り返す。しかし、ステップＳ２０４からステップ２１２までの処理の間に音声入力信号３０２が制御部１０６Ａに入力されると、ステップＳ２１８に移行し、所定時間の計測中の場合はタイマを停止し、終話検出処理を終了する。すなわち、制御部１０６Ａはユーザが通話を継続中と判断し、操作部用照明装置１０４を点灯しないで終話検出処理を終了する。
【００４２】
ユーザが音声通信の終了動作または携帯通信端末１００Ａに対して何らかの操作をしようとして、耳元から無線携帯移動機を離すと、一定間隔で通知している温度と記憶している温度に温度の降下がみられる。これを所定時間内に所定温度だけ降下したと制御部１０６Ａが判断すると、操作部用照明装置１０４（例えば切断キーに対応するバックライト）を点灯する。暗所で操作するユーザは、この点灯によって切断キーを容易に見つける事ができ、音声通信の終了を円滑に行うことができる。
【００４３】
本実施の形態では、ステップ２１４において操作部用照明装置１０４を点灯するとしたが、制御部１０６Ａは、無線信号送受信部１０１を制御して他の通信装置との通信接続を切断させても良い。又、操作部用照明装置１０４の点灯と同時、又は逐次に通信接続を切断させても良い。
【００４４】
（第２の実施の形態）
図６及び図７を参照して、本発明による携帯通信端末の第２の実施の形態が説明される。
（第２の実施の形態における携帯通信端末の構成）
第２の実施の形態における携帯通信端末１００Ｂは、第１の実施の形態における携帯通信端末１００Ａの温度検出部１０５Ａ、制御部１０６Ａ及び情報記憶装置１０８Ａを、それぞれ距離測定部１０５Ｂ、制御部１０６Ｂ、情報記憶装置１０８Ｂに換えた構成である。ここで、符号が同一の構成については、第１の実施の形態と同じ動作、機能を有するため説明は省略される。この際、第１の実施の形態における説明の中で記載された携帯通信端末１００Ａ、温度検出部１０５Ａ、制御部１０６Ａ及び情報記憶装置１０８Ａは、それぞれ携帯通信端末１００Ｂ、距離測定部１０５Ｂ、制御部１０６Ｂ、情報記憶装置１０８Ｂに置き換えられる。第２の実施の形態における携帯通信端末１００Ｂは、携帯通信端末１００Ｂに音声が入力されたか否かを検出する音声検出部１０２と、ユーザとの距離を測定する距離測定部１０５Ｂとを具備する。ここで測定される距離は、携帯通信端末１００Ｂに対するユーザの相対位置によって変化する。携帯通信端末１００Ｂでは、携帯通信端末１００Ｂに音声が入力されず、距離測定部１０５Ｂによって測定された距離が閾値以下である場合、ユーザが通信接続の切断を希望している状態（以下、終話状態と称す）であると判定し、ユーザに対して通信接続を切断する旨を通知する。
【００４５】
図６及び図２を参照して、第２の実施の形態における携帯通信端末１００Ｂの構成の詳細が説明される。図６は、本発明による携帯通信端末１００Ｂの第２の実施の形態における構成を示すブロック図である。図６を参照して、携帯通信端末１００Ｂは、無線信号送受信部１０１、音声検出部１０２、操作部１０３、操作部用照明装置１０４、距離測定部１０５Ｂ、制御部１０６Ｂ、タイマ１０７、情報記憶装置１０８Ｂを具備する。
【００４６】
第２の実施の形態における制御部１０６Ｂは、ＣＰＵに例示される演算処理装置とＲＯＭ等の記憶装置とを具備し、記憶装置に格納されたプログラムを実行して、無線通信端末１００内の各装置を制御する。制御部１０６Ｂは、無線信号送受信部１０１に対して制御信号を発行し、通信接続・切断処理や無線信号の送受信処理等を制御する。操作部１０３の切断キー２０５が操作されることで出力される信号に応答して無線信号送受信部１０１に終話通知信号を発行し、通信接続を切断させる。更に、音声検出部１０２から発行される音声無感信号３０１に応答して、タイマ１０７を起動して終話状態であるかどうかを判定する終話検出処理を実行する。又、音声入力信号３０２に応答してタイマ１０７を停止するとともに終話検出処理を停止する。終話検出処理の際、終話状態であると判定すると、制御部１０６Ｂは操作部用照明装置１０４に対し終話通知信号３０３を発行し、操作部用照明装置１０４を点灯させる。
【００４７】
タイマ１０７は、制御部１０６Ｂからの制御信号に応答して、時刻のカウントを実行又は停止するタイマである。制御部１０６Ｂは、タイマ１０７のカウントする時刻に基づき、一定時間間隔で距離測定部１０５Ｂを制御してユーザとの距離を測定させる。又、距離測定部１０５Ｂが測定した測定距離３００Ｂと、情報記憶装置１０８Ｂに格納されている基準距離４００Ｂとを比較し、ユーザが終話状態であるかどうかを判定する。
【００４８】
距離測定部１０５Ｂは赤外線センサや、超音波センサに例示される距離を測定する測距装置を備える。距離測定部１０５Ｂは制御部１０６Ｂからの制御信号に応じてユーザとの間の距離を測定し、測定距離３００Ｂとして制御部１０６Ｂに出力する。図２を参照して距離測定部１０５Ｂの測距装置は、携帯通信端末１００Ｂの受話部２０２に隣接した受話部周辺２０８に設置されることが好ましい。測距装置が受話部周辺２０８に設置されることで通話中のユーザの耳と携帯通信端末１００Ｂとの距離を測定する事ができる。終話したユーザは耳から携帯通信端末１００Ｂを遠ざける。このため、ユーザが通話を終了しようとすると（終話状態になると）、距離測定部１０５Ｂは通話中よりも大きな測定距離３００Ｂを取得する。又、測距方法として、無線信号送受信部１０１から受話部２０２に出力されるアナログ音声信号（無音の状態も含む）に対して常に人間の可聴域外の一定の周波数を載せておき、元の波形と人体に反射した波形の差分から距離を測定する方法も考えられる。
【００４９】
情報記憶装置１０８Ｂは、メモリ等の記憶装置であり、終話状態であるかどうかの判定基準として、所定の閾値である基準距離４００Ｂを格納している。又、終話検出処理を実行するか否かを決定するための設定情報を格納する。この設定情報は、操作部１０３の操作によって設定されることが好ましい。
【００５０】
（第２の実施の形態における携帯通信端末の動作）
以下、図３及び図７を参照して、第２の実施の形態における携帯通信端末１００Ｂの終話通知動作について詳細に説明される。図３は、携帯通信端末１００Ｂが他の通信装置と通信接続してから終話検出処理に移行するまでの動作の流れを示すフローチャートである。図７は、携帯通信端末１００Ｂにおける終話検出処理の動作の流れを示すフローチャートである。図３を参照して、携帯通信端末１００Ｂが他の通信装置と通信接続してから終話検出処理に移行するまでの動作の流れは、第１の実施の形態と同じなので説明は省略される。
【００５１】
図７を参照して、第２の実施の形態における移動通信端末１００Ｂの終話検出処理が説明される。ステップＳ１０５において、設定情報に基づき終話検出処理に移行した制御部１０６Ｂは、音声検出部１０２からの音声無感信号３０１又は音声入力信号３０２を待ち受ける。携帯通信端末１００Ｂにおいて音声通信が持続している場合、すなわち音声入力信号３０２が制御部１０６Ｂに入力されている場合（ステップＳ３０２Ｙｅｓ）、制御部１０６Ｂは終話検出処理を終了する。この際、タイマ１０７が起動中で、所定の時間を計測している場合（ステップＳ３１６Ｙｅｓ）、制御部１０６Ｂはタイマ１０７を制御して所定時間の計測を停止させる（ステップＳ３１４）。
【００５２】
音声検出部１０２から音声無感信号３０１が入力された場合（ステップＳ３０２Ｙｅｓ）、制御部１０６Ｂはタイマ１０７に制御信号を発行して所定時間の計測を開始させる（ステップＳ３０４）。タイマ１０７は所定時間が経過すると制御部１０６Ｂに通知する（ステップＳ３０６Ｙｅｓ）。制御部１０６Ｂは、通知された時間に応答して距離測定部１０５Ｂを制御して距離を測定させ、距離測定部１０５Ｂから測定距離３００Ｂを取得する（ステップＳ３０８）。又、制御部１０６Ｂは情報記憶装置１０８Ｂ内に格納された基準距離４００Ｂと測定距離３００Ｂとを比較する終話状態判定処理を行う（ステップＳ３１０）。ステップＳ２１０の終話状態判定処理において測定距離３００Ｂが基準距離４００Ｂより大きい場合（ステップＳ３１０Ｙｅｓ）、制御部１０６Ｂは、ユーザと携帯通信装置１００Ｂとの相対位置が一定距離以上離れたと判定する。すなわち、制御部１０６Ｂはユーザが終話状態になったと判定し、操作部用照明装置１０４に終話通知信号３０３を出力する。操作部用照明装置１０４は、この終話通知信号３０３に応答して、点灯又は点滅する（ステップＳ３１２）。又、制御部１０６Ｂは終話通知信号３０３の発行と同時的にタイマ１０７を制御して時間の計測を停止させる（ステップＳ３１４）。
【００５３】
ステップＳ３１０における終話状態判定処理において、測定距離３００Ｂが基準距離４００Ｂより小さく（ステップＳ３１０Ｎｏ）、且つ、未だ音声入力信号３０２が制御部１０６Ｂに入力されていない場合（ステップＳ３０２Ｙｅｓ）、制御部１０６Ｂは引き続きタイマ１０７から所定時間の経過の通知を受け、測定距離３００Ｂの取得（ステップＳ３０８）及び終話状態判定処理（ステップＳ３１０）を実行する。制御部１０６Ｂは、音声入力信号３０２が入力されるまで、あるいは、測定距離３００Ｂが基準温度４００Ｂより大きくなるまで、ステップＳ３０４からステップＳ３１０までの処理を繰り返す。しかし、ステップＳ３０４からステップ３１０までの処理の間に音声入力信号３０２が制御部１０６Ｂに入力されると、ステップＳ３１６に移行し、所定時間の計測中の場合はタイマを停止し、終話検出処理を終了する。すなわち、制御部１０６Ｂはユーザが通話を継続中と判断し、操作部用照明装置１０４を点灯しないで終話検出処理を終了する。
【００５４】
本実施の形態における携帯通信端末１００Ｂによれば、ユーザが音声通信の終了動作または携帯通信端末１００Ｂに対して何らかの操作をしようとして、耳元から無線携帯移動機を離すと測定距離３００Ｂが増加し、この測定距離３００Ｂが基準距離４００Ｂより大きい場合、操作部用照明装置１０４（例えば切断キーに対応するバックライト）を点灯する。暗所で操作するユーザは、この点灯によって切断キーを容易に見つける事ができ、音声通信の終了を円滑に行うことができる。
【００５５】
本実施の形態では、ステップ３１２において操作部用照明装置１０４を点灯するとしたが、制御部１０６Ｂは、無線信号送受信部１０１を制御して他の通信装置との通信接続を切断させても良い。又、操作部用照明装置１０４の点灯と同時、又は逐次に通信接続を切断させても良い。
【００５６】
（第３の実施の形態）
図８及び図９を参照して、本発明による携帯通信端末の第３の実施の形態が説明される。
（第３の実施の形態における携帯通信端末の構成）
第３の実施の形態における携帯通信端末１００Ｃは、第１の実施の形態における携帯通信端末１００Ａの温度検出部１０５Ａ、制御部１０６Ａ及び情報記憶装置１０８Ａを、それぞれ血流測定部１０５Ｃ、制御部１０６Ｃ、情報記憶装置１０８Ｃに換えた構成である。ここで、符号が同一の構成については、第１の実施の形態と同じ動作、機能を有するため説明は省略される。この際、第１の実施の形態における説明の中で記載された携帯通信端末１００Ａ、温度検出部１０５Ａ、制御部１０６Ａ及び情報記憶装置１０８Ａは、それぞれ携帯通信端末１００Ｃ、血流検出部１０５Ｃ、制御部１０６Ｃ、情報記憶装置１０８Ｃに置き換えられる。第３の実施の形態における携帯通信端末１００Ｃは、携帯通信端末１００Ｃに音声が入力されたか否かを検出する音声検出部１０２と、ユーザの脈拍の有無を検出する血流検出部１０５Ｃとを具備する。ここで脈拍が検出されるか否かは、携帯通信端末１００Ｂに対するユーザの相対位置によって変化する。すなわち、携帯通信端末１００Ｃがユーザから一定時間離れると、所定時間内において脈拍は検出されなくなる。携帯通信端末１００Ｃでは、携帯通信端末１００Ｃに音声が入力されず、血流検出部１０５Ｃによって脈拍が検出されない場合、ユーザが通信接続の切断を希望している状態（以下、終話状態と称す）であると判定し、ユーザに対して通信接続を切断する旨を通知する。
【００５７】
図８及び図２を参照して、第３の実施の形態における携帯通信端末１００Ｃの構成の詳細が説明される。図６は、本発明による携帯通信端末１００Ｃの第３の実施の形態における構成を示すブロック図である。図８を参照して、携帯通信端末１００Ｃは、無線信号送受信部１０１、音声検出部１０２、操作部１０３、操作部用照明装置１０４、血流検出部１０５Ｃ、制御部１０６Ｃ、タイマ１０７、情報記憶装置１０８Ｃを具備する。
【００５８】
第３の実施の形態における制御部１０６Ｃは、ＣＰＵに例示される演算処理装置とＲＯＭ等の記憶装置とを具備し、記憶装置に格納されたプログラムを実行して、無線通信端末１００Ｃ内の各装置を制御する。制御部１０６Ｃは、無線信号送受信部１０１に対して制御信号を発行し、通信接続・切断処理や無線信号の送受信処理等を制御する。操作部１０３の切断キー２０５が操作されることで出力される信号に応答して無線信号送受信部１０１に終話通知信号を発行し、通信接続を切断させる。更に、音声検出部１０２から発行される音声無感信号３０１に応答して、タイマ１０７を起動して終話状態であるかどうかを判定する終話検出処理を実行する。又、音声入力信号３０２に応答してタイマ１０７を停止するとともに終話検出処理を停止する。終話検出処理の際、終話状態であると判定すると、制御部１０６Ｃは操作部用照明装置１０４に対して終話通知信号３０３を発行し、操作部用照明装置１０４を点灯させる。
【００５９】
タイマ１０７は、制御部１０６Ｃからの制御信号に応答して、時刻のカウントを実行又は停止するタイマである。制御部１０６Ｃは、タイマ１０７のカウントする時刻に基づき、血流検出部１０５Ｃを制御して一定時間におけるユーザの脈拍数を測定させる。又、血流検出部１０５Ｃが脈拍を検出した際に出力する脈拍検出信号３００Ｃに基づきユーザが終話状態であるかどうかを判定する。
【００６０】
血流検出部１０５Ｃは圧力センサを有する脈拍センサを備える。血流検出部１０５Ｃは制御部１０６Ｃからの制御信号に応じてユーザの脈拍を測定し、脈拍を検出すると脈拍検出信号３００Ｃを制御部１０６Ｃに出力する。図２を参照して血流検出部１０５Ｃの脈拍センサは、携帯通信端末１００Ｃの受話部２０２に隣接した受話部周辺２０８に設置されることが好ましい。脈拍センサが受話部周辺２０８に設置されることで通話中のユーザの耳が携帯通信端末１００Ｃと密着し、ユーザの脈拍を検出する事ができる。終話したユーザは耳から携帯通信端末１００Ｃを遠ざけため、血流検出部１０５Ｃは脈拍を検出できなくなる。このため、ユーザが通話を終了しようとしているかどうか（終話状態である）を判定できる。
【００６１】
情報記憶装置１０８Ｃは、メモリ等の記憶装置であり、終話検出処理を実行するか否かを決定するための設定情報を格納する。この設定情報は、操作部１０３の操作によって設定されることが好ましい。
【００６２】
（第３の実施の形態における携帯通信端末の動作）
以下、図３及び図９を参照して、第３の実施の形態における携帯通信端末１００Ｃの終話通知動作について詳細に説明される。図３は、携帯通信端末１００Ｃが他の通信装置と通信接続してから終話検出処理に移行するまでの動作の流れを示すフローチャートである。図９は、携帯通信端末１００Ｃにおける終話検出処理の動作の流れを示すフローチャートである。図３を参照して、携帯通信端末１００Ｃが他の通信装置と通信接続してから終話検出処理に移行するまでの動作の流れは、第１の実施の形態と同じなので説明は省略される。
【００６３】
図９を参照して、第３の実施の形態における移動通信端末１００Ｃの終話検出処理が説明される。ステップＳ１０５において、設定情報に基づき終話検出処理に移行した制御部１０６Ｃは、音声検出部１０２からの音声無感信号３０１又は音声入力信号３０２を待ち受ける。携帯通信端末１００Ｃにおいて音声通信が持続している場合、すなわち音声入力信号３０２が制御部１０６Ｃに入力されている場合（ステップＳ４０２Ｙｅｓ）、制御部１０６Ｃは終話検出処理を終了する。この際、タイマ１０７が起動中で、所定の時間を計測している場合（ステップＳ４１６Ｙｅｓ）、制御部１０６Ｃはタイマ１０７を制御して所定時間の計測を停止させる（ステップＳ４１４）。
【００６４】
音声検出部１０２から音声無感信号３０１が入力された場合（ステップＳ４０２Ｙｅｓ）、制御部１０６Ｃはタイマ１０７に制御信号を発行して所定時間の計測を開始させるとともに、血流検出部１０５Ｃを制御してユーザの脈拍を測定させる（ステップＳ４０４）。タイマ１０７は所定時間が経過すると制御部１０６Ｃに通知する（ステップＳ４０６Ｙｅｓ）。制御部１０６Ｃは、通知された時間に応答して血流検出部１０５Ｃに脈拍の有無を問い合わせる。問い合わせを受けた血流検出部１０５Ｃは、脈拍を測定した所定時間内に脈拍を検出した場合は脈拍検出信号３００を制御部１０６Ｃに発行する。又、脈拍を検出しない場合は応答しない。制御部１０６Ｃは、脈拍検出信号３００を受け付けたか否かで終話状態判定処理を行う（ステップＳ４１０）。ステップＳ４１０の終話状態判定処理において、血流検出部１０５Ｃから脈拍検出信号３００が出力されない場合（ステップＳ４１０Ｙｅｓ）、制御部１０６Ｃは、ユーザと携帯通信装置１００Ｃとの相対位置が一定距離以上離れたと判定する。すなわち、制御部１０６Ｃはユーザが終話状態になったと判定し、操作部用照明装置１０４に終話通知信号３０３を出力する。操作部用照明装置１０４は、この終話通知信号３０３に応答して、点灯又は点滅する（ステップＳ３１２）。又、制御部１０６Ｃは終話通知信号３０３の発行と同時的にタイマ１０７を制御して時間の計測を停止させるとともに、血流検出部１０５Ｃを制御して脈拍の計測を停止する（ステップＳ４１４）。
【００６５】
ステップＳ４１０における終話状態判定処理において、制御部１０６Ｃに脈拍検出信号３００が入力され（ステップＳ４１０Ｎｏ）、且つ、未だ音声入力信号３０２が制御部１０６Ｃに入力されていない場合（ステップＳ４０２Ｙｅｓ）、制御部１０６Ｃは引き続きタイマ１０７から所定時間の経過の通知を受け、血流検出部１０５Ｃに脈拍の有無を問い合わせ、終話状態判定処理を実行する（ステップＳ４１０）。この際、脈拍検出信号３００Ｃ及び音声入力信号３０２が入力されない場合（ステップ３０２Ｙｅｓ）は、ステップＳ４０４からステップ４１０までの処理を繰り返す。しかし、ステップＳ４０４からステップ４１０までの処理の間に音声入力信号３０２が制御部１０６Ｃに入力されると、ステップＳ４１６に移行し、所定時間の計測中の場合はタイマを停止し、終話検出処理を終了する。すなわち、制御部１０６Ｃはユーザが通話を継続中と判断し、操作部用照明装置１０４を点灯しないで終話検出処理を終了する。
【００６６】
本実施の形態における携帯通信端末１００Ｃによれば、ユーザが音声通信の終了動作または携帯通信端末１００Ｃに対して何らかの操作をしようとして、耳元から無線携帯移動機を離すと、ユーザの脈拍を検出できなくことによって終話状態であるかを判定し操作部用照明装置１０４（例えば切断キーに対応するバックライト）を点灯する。このため、暗所で操作するユーザは、この点灯によって切断キーを容易に見つける事ができ、音声通信の終了を円滑に行うことができる。
【００６７】
本実施の形態では、ステップ３１２において操作部用照明装置１０４を点灯するとしたが、制御部１０６Ｃは、無線信号送受信部１０１を制御して他の通信装置との通信接続を切断させても良い。又、操作部用照明装置１０４の点灯と同時、又は逐次に通信接続を切断させても良い。
【００６８】
又、制御部１０６Ｃは、所定の時間内に計測されるユーザの脈拍数と基準脈拍数を比較し、計測した脈拍数が小さい場合に携帯通信端末１００Ｃがユーザから離れたと判断しても良い。この場合、情報記憶装置１０８Ｃは終話状態であるかどうかの判定基準として所定の閾値である基準脈拍数４００Ｃを保持する。又、血流検出部１０５Ｃは所定時間内の脈拍数を測定し、検出脈拍数３００Ｃ’として制御部１０６Ｃに出力する。このような構成のもと、制御部１０６Ｃは検出脈拍数３００Ｃ’と基準脈拍数４００Ｃとを比較し、検出脈拍数３００Ｃ’が基準脈拍数４００Ｃより小さい場合、操作部用照明１０４を点灯する。
【００６９】
（第４の実施の形態）
図１０及び図１１を参照して、本発明による携帯通信端末の第４の実施の形態が説明される。
（第４の実施の形態における携帯通信端末の構成）
第４の実施の形態における携帯通信端末１００Ｄは、第１の実施の形態における携帯通信端末１００Ａの温度検出部１０５Ａ、制御部１０６Ａ及び情報記憶装置１０８Ａを、それぞれ光量測定部１０５Ｄ、制御部１０６Ｄ、情報記憶装置１０８Ｄに換えた構成である。ここで、符号が同一の構成については、第１の実施の形態と同じ動作、機能を有するため説明は省略される。この際、第１の実施の形態における説明の中で記載された携帯通信端末１００Ａ、温度検出部１０５Ａ、制御部１０６Ａ及び情報記憶装置１０８Ａは、それぞれ携帯通信端末１００Ｄ、光量測定部１０５Ｄ、制御部１０６Ｄ、情報記憶装置１０８Ｄに置き換えられる。第４の実施の形態における携帯通信端末１００Ｄは、携帯通信端末１００Ｄに音声が入力されたか否かを検出する音声検出部１０２と、携帯通信端末１００Ｄの周囲の光量を測定する光量測定部１０５Ｄとを具備する。ここで測定される光量は、携帯通信端末１００Ｄに対するユーザの相対位置によって変化する。携帯通信端末１００Ｄでは、携帯通信端末１００Ｄに音声が入力されず、光量測定部１０５Ｄによって測定された光量が閾値以上である場合、ユーザが通信接続の切断を希望している状態（以下、終話状態と称す）であると判定し、ユーザに対して通信接続を切断する旨を通知する。
【００７０】
図１０及び図２を参照して、第４の実施の形態における携帯通信端末１００Ｄの構成の詳細が説明される。図１０は、本発明による携帯通信端末１００Ｄの第４の実施の形態における構成を示すブロック図である。図１０を参照して、携帯通信端末１００Ｄは、無線信号送受信部１０１、音声検出部１０２、操作部１０３、操作部用照明装置１０４、光量測定部１０５Ｄ、制御部１０６Ｄ、タイマ１０７、情報記憶装置１０８Ｄを具備する。
【００７１】
第４の実施の形態における制御部１０６Ｄは、ＣＰＵに例示される演算処理装置とＲＯＭ等の記憶装置とを具備し、記憶装置に格納されたプログラムを実行して、無線通信端末１００内の各装置を制御する。制御部１０６Ｄは、無線信号送受信部１０１に対して制御信号を発行し、通信接続・切断処理や無線信号の送受信処理等を制御する。操作部１０３の切断キー２０５が操作されることで出力される信号に応答して無線信号送受信部１０１に終話通知信号を発行し、通信接続を切断させる。更に、音声検出部１０２から発行される音声無感信号３０１に応答して、タイマ１０７を起動して終話状態であるかどうかを判定する終話検出処理を実行する。又、音声入力信号３０２に応答してタイマ１０７を停止するとともに終話検出処理を停止する。終話検出処理の際、終話状態であると判定すると、制御部１０６Ｄは操作部用照明装置１０４に対し終話通知信号３０３を発行し、操作部用照明装置１０４を点灯させる。
【００７２】
タイマ１０７は、制御部１０６Ｄからの制御信号に応答して、時刻のカウントを実行又は停止するタイマである。制御部１０６Ｄは、タイマ１０７のカウントする時刻に基づき、一定時間間隔で光量測定部１０５Ｄを制御して携帯通信端末１００Ｄの周囲の光量を測定させる。又、光量測定部１０５Ｄが測定した測定光量３００Ｄと、情報記憶装置１０８Ｄに格納されている基準光量４００Ｄとを比較し、ユーザが終話状態であるかどうかを判定する。
【００７３】
光量測定部１０５Ｄはカメラ付携帯電話に内蔵されたＣＣＤや光センサ等に例示される光量を測定する光量センサを備える。光量測定部１０５Ｄは制御部１０６Ｄからの制御信号に応じて光センサ周辺の光量を測定し、測定光量３００Ｄとして制御部１０６Ｄに出力する。図２を参照して光量測定部１０５Ｄの光センサは、携帯通信端末１００Ｄの受話部２０２に隣接した受話部周辺２０８に設置されることが好ましい。測距装置が受話部周辺２０８に設置されることで通話中のユーザの耳元の光量を測定する事ができる。終話したユーザは耳から携帯通信端末１００Ｄを遠ざけるため、光センサ周辺は通話中に比べ明るくなる。このため、ユーザが通話を終了しようとすると（終話状態になると）、光量測定部１０５Ｄは通話中よりも大きな測定光量３００Ｄを取得する。
【００７４】
情報記憶装置１０８Ｄは、メモリ等の記憶装置であり、終話状態であるかどうかの判定基準として、所定の閾値である基準光量４００Ｄを格納している。又、終話検出処理を実行するか否かを決定するための設定情報を格納する。この設定情報は、操作部１０３の操作によって設定されることが好ましい。
【００７５】
（第４の実施の形態における携帯通信端末の動作）
以下、図３及び図１１を参照して、第４の実施の形態における携帯通信端末１００Ｄの終話通知動作について詳細に説明される。図３は、携帯通信端末１００Ｄが他の通信装置と通信接続してから終話検出処理に移行するまでの動作の流れを示すフローチャートである。図１１は、携帯通信端末１００Ｄにおける終話検出処理の動作の流れを示すフローチャートである。図３を参照して、携帯通信端末１００Ｄが他の通信装置と通信接続してから終話検出処理に移行するまでの動作の流れは、第１の実施の形態と同じなので説明は省略される。
【００７６】
図１１を参照して、第４の実施の形態における移動通信端末１００Ｄの終話検出処理が説明される。ステップＳ１０５において、設定情報に基づき終話検出処理に移行した制御部１０６Ｄは、音声検出部１０２からの音声無感信号３０１又は音声入力信号３０２を待ち受ける。携帯通信端末１００Ｄにおいて音声通信が持続している場合、すなわち音声入力信号３０２が制御部１０６Ｄに入力されている場合（ステップＳ５０２Ｙｅｓ）、制御部１０６Ｄは終話検出処理を終了する。この際、タイマ１０７が起動中で、所定の時間を計測している場合（ステップＳ５１６Ｙｅｓ）、制御部１０６Ｄはタイマ１０７を制御して所定時間の計測を停止させる（ステップＳ５１４）。
【００７７】
音声検出部１０２から音声無感信号３０１が入力された場合（ステップＳ５０２Ｙｅｓ）、制御部１０６Ｄはタイマ１０７に制御信号を発行して所定時間の計測を開始させる（ステップＳ５０４）。タイマ１０７は所定時間が経過すると制御部１０６Ｄに通知する（ステップＳ５０６Ｙｅｓ）。制御部１０６Ｄは、通知された時間に応答して光量測定部１０５Ｄを制御して光量を測定させ、光量測定部１０５Ｄから測定光量３００Ｄを取得する（ステップＳ５０８）。又、制御部１０６Ｄは情報記憶装置１０８Ｄ内に格納された基準光量４００Ｄと測定光量３００Ｄとを比較する終話状態判定処理を行う（ステップＳ５１０）。ステップＳ５１０の終話状態判定処理において測定光量３００Ｄが基準光量４００Ｄより大きい場合（ステップＳ５１０Ｙｅｓ）、制御部１０６Ｄは、ユーザと携帯通信装置１００Ｄとの相対位置が通話中から変化したと判定する。すなわち、制御部１０６Ｄはユーザが終話状態になったと判定し、操作部用照明装置１０４に終話通知信号３０３を出力する。操作部用照明装置１０４は、この終話通知信号３０３に応答して、点灯又は点滅する（ステップＳ５１２）。又、制御部１０６Ｄは終話通知信号３０３の発行と同時的にタイマ１０７を制御して時間の計測を停止させる（ステップＳ５１４）。
【００７８】
ステップＳ５１０における終話状態判定処理において、測定光量３００Ｄが基準光量４００Ｂより小さく（ステップＳ５１０Ｎｏ）、且つ、未だ音声入力信号３０２が制御部１０６Ｄに入力されていない場合（ステップＳ５０２Ｙｅｓ）、制御部１０６Ｄは引き続きタイマ１０７から所定時間の経過の通知を受け、測定光量３００Ｄの取得（ステップＳ５０８）及び終話状態判定処理（ステップＳ５１０）を実行する。制御部１０６Ｄは、音声入力信号３０２が入力されるまで、あるいは、測定距離３００Ｄが基準温度４００Ｄより大きくなるまで、ステップＳ５０４からステップＳ５１０までの処理を繰り返す。しかし、ステップＳ５０４からステップ３１０までの処理の間に音声入力信号３０２が制御部１０６Ｂに入力されると、ステップＳ５１６に移行し、所定時間の計測中の場合はタイマを停止し、終話検出処理を終了する。すなわち、制御部１０６Ｂはユーザが通話を継続中と判断し、操作部用照明装置１０４を点灯しないで終話検出処理を終了する。
【００７９】
本実施の形態における携帯通信端末１００Ｄによれば、ユーザが音声通信の終了動作または携帯通信端末１００Ｄに対して何らかの操作をしようとして、耳元から無線携帯移動機を離すと測定光量３００Ｄが増加し、この測定光量３００Ｄが基準光量４００Ｄより大きい場合、操作部用照明装置１０４（例えば切断キーに対応するバックライト）を点灯する。暗所で操作するユーザは、この点灯によって切断キーを容易に見つける事ができ、音声通信の終了を円滑に行うことができる。
【００８０】
本実施の形態では、ステップ５１２において操作部用照明装置１０４を点灯するとしたが、制御部１０６Ｄは、無線信号送受信部１０１を制御して他の通信装置との通信接続を切断させても良い。又、操作部用照明装置１０４の点灯と同時、又は逐次に通信接続を切断させても良い。
【００８１】
（第５の実施の形態）
図１２及び図１３を参照して、本発明による携帯通信端末の第５の実施の形態が説明される。
（第５の実施の形態における携帯通信端末の構成）
第５の実施の形態における携帯通信端末１００Ｅは、第１の実施の形態における携帯通信端末１００Ａの温度検出部１０５Ａ、制御部１０６Ａ及び情報記憶装置１０８Ａを、それぞれ移動検出部１０５Ｅ、制御部１０６Ｅ、情報記憶装置１０８Ｅに換えた構成である。ここで、符号が同一の構成については、第１の実施の形態と同じ動作、機能を有するため説明は省略される。この際、第１の実施の形態における説明の中で記載された携帯通信端末１００Ａ、温度検出部１０５Ａ、制御部１０６Ａ及び情報記憶装置１０８Ａは、それぞれ携帯通信端末１００Ｅ、移動検出部１０５Ｅ、制御部１０６Ｅ、情報記憶装置１０８Ｅに置き換えられる。第５の実施の形態における携帯通信端末１００Ｅは、携帯通信端末１００Ｅに音声が入力されたか否かを検出する音声検出部１０２と、携帯通信端末１００Ｅの角速度（位置）を測定する移動検出部１０５Ｅとを具備する。ここで測定される角速度は、携帯通信端末１００Ｅに対するユーザの相対位置やユーザの終話間際の動作によって変化する。携帯通信端末１００Ｅでは、携帯通信端末１００Ｅに音声が入力されず、移動検出部１０５Ｅによって測定された角速度（位置）が閾値以上である場合、ユーザが通信接続の切断を希望している状態（以下、終話状態と称す）であると判定し、ユーザに対して通信接続を切断する旨を通知する。
【００８２】
図１２を参照して、第５の実施の形態における携帯通信端末１００Ｅの構成の詳細が説明される。図１２は、本発明による携帯通信端末１００Ｅの第５の実施の形態における構成を示すブロック図である。図１２を参照して、携帯通信端末１００Ｅは、無線信号送受信部１０１、音声検出部１０２、操作部１０３、操作部用照明装置１０４、移動検出部１０５Ｅ、制御部１０６Ｅ、タイマ１０７、情報記憶装置１０８Ｅを具備する。
【００８３】
第５の実施の形態における制御部１０６Ｅは、ＣＰＵに例示される演算処理装置とＲＯＭ等の記憶装置とを具備し、記憶装置に格納されたプログラムを実行して、無線通信端末１００内の各装置を制御する。制御部１０６Ｅは、無線信号送受信部１０１に対して制御信号を発行し、通信接続・切断処理や無線信号の送受信処理等を制御する。操作部１０３の切断キー２０５が操作されることで出力される信号に応答して無線信号送受信部１０１に終話通知信号を発行し、通信接続を切断させる。更に、音声検出部１０２から発行される音声無感信号３０１に応答して、タイマ１０７を起動して終話状態であるかどうかを判定する終話検出処理を実行する。又、音声入力信号３０２に応答してタイマ１０７を停止するとともに終話検出処理を停止する。終話検出処理の際、終話状態であると判定すると、制御部１０６Ｅは操作部用照明装置１０４に対し終話通知信号３０３を発行し、操作部用照明装置１０４を点灯させる。
【００８４】
タイマ１０７は、制御部１０６Ｅからの制御信号に応答して、時刻のカウントを実行又は停止するタイマである。制御部１０６Ｅは、タイマ１０７のカウントする時刻に基づき、一定時間間隔で移動検出部１０５Ｅを制御して携帯通信端末１００Ｅの角速度（位置）を測定させる。又、移動検出部１０５Ｅが測定した測定角速度３００Ｅと、情報記憶装置１０８Ｅに格納されている基準角速度４００Ｅとを比較し、ユーザが終話状態であるかどうかを判定する。
【００８５】
移動検出部１０５Ｅはジャイロスコープに例示される角速度を測定する角速度センサを備える。移動検出部１０５Ｅは制御部１０６Ｅからの制御信号に応じて角速度センサで検出した角速度を測定角速度３００Ｅとして制御部１０６Ｅに出力する。角速度センサとして、カメラ付携帯電話に内蔵されている手ぶれ防止用の振動型ジャイロスコープを利用しても構わない。終話したユーザは耳から携帯通信端末１００Ｅを遠ざけるため動作をする。このため、ユーザが通話を終了しようとすると（終話状態になると）、移動検出部１０５Ｅは通話中よりも大きな測定角速度３００Ｅを取得する。
【００８６】
情報記憶装置１０８Ｅは、メモリ等の記憶装置であり、終話状態であるかどうかの判定基準として、所定の閾値である基準角速度４００Ｅを格納している。又、終話検出処理を実行するか否かを決定するための設定情報を格納する。この設定情報は、操作部１０３の操作によって設定されることが好ましい。
【００８７】
（第５の実施の形態における携帯通信端末の動作）
以下、図３及び図１３を参照して、第５の実施の形態における携帯通信端末１００Ｅの終話通知動作について詳細に説明される。図３は、携帯通信端末１００Ｅが他の通信装置と通信接続してから終話検出処理に移行するまでの動作の流れを示すフローチャートである。図１３は、携帯通信端末１００Ｅにおける終話検出処理の動作の流れを示すフローチャートである。図３を参照して、携帯通信端末１００Ｅが他の通信装置と通信接続してから終話検出処理に移行するまでの動作の流れは、第１の実施の形態と同じなので説明は省略される。
【００８８】
図１３を参照して、第５の実施の形態における移動通信端末１００Ｅの終話検出処理が説明される。ステップＳ１０５において、設定情報に基づき終話検出処理に移行した制御部１０６Ｅは、音声検出部１０２からの音声無感信号３０１又は音声入力信号３０２を待ち受ける。携帯通信端末１００Ｅにおいて音声通信が持続している場合、すなわち音声入力信号３０２が制御部１０６Ｅに入力されている場合（ステップＳ６０２Ｙｅｓ）、制御部１０６Ｅは終話検出処理を終了する。この際、タイマ１０７が起動中で、所定の時間を計測している場合（ステップＳ６１６Ｙｅｓ）、制御部１０６Ｅはタイマ１０７を制御して所定時間の計測を停止させる（ステップＳ６１４）。
【００８９】
音声検出部１０２から音声無感信号３０１が入力された場合（ステップＳ６０２Ｙｅｓ）、制御部１０６Ｅはタイマ１０７に制御信号を発行して所定時間の計測を開始させる（ステップＳ６０４）。タイマ１０７は所定時間が経過すると制御部１０６Ｅに通知する（ステップＳ６０６Ｙｅｓ）。制御部１０６Ｅは、通知された時間に応答して移動検出部１０５Ｅを制御して角速度を測定させ、移動検出部１０５Ｅから測定角速度３００Ｅを取得する（ステップＳ６０８）。又、制御部１０６Ｅは情報記憶装置１０８Ｅ内に格納された基準角速度４００Ｅと測定角速度３００Ｅとを比較する終話状態判定処理を行う（ステップＳ６１０）。ステップＳ６１０の終話状態判定処理において測定角速度３００Ｅが基準角速度４００Ｅより大きい場合（ステップＳ６１０Ｙｅｓ）、制御部１０６Ｅは、ユーザと携帯通信装置１００Ｅとの相対位置が通話中から大きく変化したと判定する。すなわち、制御部１０６Ｅはユーザが終話状態になったと判定し、操作部用照明装置１０４に終話通知信号３０３を出力する。操作部用照明装置１０４は、この終話通知信号３０３に応答して、点灯又は点滅する（ステップＳ６１２）。又、制御部１０６Ｅは終話通知信号３０３の発行と同時的にタイマ１０７を制御して時間の計測を停止させる（ステップＳ６１４）。
【００９０】
ステップＳ６１０における終話状態判定処理において、測定角速度３００Ｅが基準角速度４００Ｂより小さく（ステップＳ６１０Ｎｏ）、且つ、未だ音声入力信号３０２が制御部１０６Ｅに入力されていない場合（ステップＳ６０２Ｙｅｓ）、制御部１０６Ｅは引き続きタイマ１０７から所定時間の経過の通知を受け、測定角速度３００Ｅの取得（ステップＳ６０８）及び終話状態判定処理（ステップＳ６１０）を実行する。制御部１０６Ｅは、音声入力信号３０２が入力されるまで、あるいは、測定距離３００Ｅが基準温度４００Ｅより大きくなるまで、ステップＳ６０４からステップＳ６１０までの処理を繰り返す。しかし、ステップＳ６０４からステップ３１０までの処理の間に音声入力信号３０２が制御部１０６Ｂに入力されると、ステップＳ６１６に移行し、所定時間の計測中の場合はタイマを停止し、終話検出処理を終了する。すなわち、制御部１０６Ｂはユーザが通話を継続中と判断し、操作部用照明装置１０４を点灯しないで終話検出処理を終了する。
【００９１】
本実施の形態における携帯通信端末１００Ｅによれば、ユーザが音声通信の終了動作または携帯通信端末１００Ｅに対して何らかの操作をしようとして、耳元から無線携帯移動機を離すと測定角速度３００Ｅが増加し、この測定角速度３００Ｅが基準角速度４００Ｅより大きい場合、操作部用照明装置１０４（例えば切断キーに対応するバックライト）を点灯する。暗所で操作するユーザは、この点灯によって切断キーを容易に見つける事ができ、音声通信の終了を円滑に行うことができる。
【００９２】
本実施の形態では、ステップ６１２において操作部用照明装置１０４を点灯するとしたが、制御部１０６Ｅは、無線信号送受信部１０１を制御して他の通信装置との通信接続を切断させても良い。又、操作部用照明装置１０４の点灯と同時、又は逐次に通信接続を切断させても良い。
【００９３】
（第６の実施の形態）
図１４から図１６を参照して、本発明による携帯通信端末の第６の実施の形態が説明される。
（第６の実施の形態における携帯通信端末の構成）
図１４を参照して、第６の実施の形態における携帯通信端末１００Ｆの構成の詳細が説明される。図１４は、本発明による携帯通信端末１００Ｆの第６の実施の形態における構成を示すブロック図である。図１４を参照して、携帯通信端末１００Ｆは、無線信号送受信部１０１’、操作部１０３、操作部用照明装置１０４、制御部１０６Ｆ、音声記憶メモリ１１０を備える情報記憶装置１０８Ｆ、及び音声識別部１０９を具備する。ここで、符号が同一の構成については、第１の実施の形態と同じ動作、機能を有するため説明は省略される。第２の実施の形態における携帯通信端末１００Ｆは、携帯通信端末１００Ｆに入力される音声に含まれる自然言語を識別する音声識別部１０９と、特定の言葉を表す音声情報が登録された音声記憶メモリ１１０とを具備する。第６の実施の形態における携帯通信端末１００Ｆでは、携帯通信端末１００Ｆに入力された音声から自然言語（言葉）を抽出し、登録された特定の言葉と一致する場合、ユーザが通信接続の切断を希望している状態（以下、終話状態と称す）であると判定し、ユーザに対して通信接続を切断する旨を通知する。
【００９４】
無線信号送受信部１０１’は、制御部１０６Ｆからの制御信号に応答して他の通信装置と通信接続し、デジタル信号である無線信号を他の通信装置に送信、あるいは他の通信装置から無線信号を受信する送受信インターフェースを備える。又、送受信する音声信号を変復調処理及びＡ／Ｄ変換処理を行う音声信号処理部を備える。
【００９５】
更に無線信号送受信部１０１’は、音声識別部１０９、受話部２０２、及び送話部２０７に接続されている。ここで、図２を参照して受信部２０２は音声信号を音声に変換するスピーカに例示される装置であり、送話部２０７は音声を音声信号に変換し、無線信号送受信部１０１に出力するマイクロフォンに例示される装置である。無線信号送受信部１０１は、通信接続した他の通信装置から送信されるデジタル信号を復調し、アナログ信号である音声信号に変換して受信部２０２に出力する。又、復調したデジタル信号をデジタル受話信号として音声識別部１０９に出力する。更に、送話部２０７から出力される音声信号をデジタル信号であるデジタル送話信号に変換して音声識別部１０９に出力するとともに無線信号に変調し、アンテナ２０１を介して他の通信装置に送信する。
【００９６】
音声識別部１０９は、無線信号送受信部１０１’から入力されるデジタル受話信号又はデジタル送話信号を解析し、自然言語情報（例えば、自然言語「さようなら」を表す情報）に対応する音声信号を抽出するプログラムを実行する演算処理装置である。音声識別部１０９は、デジタル受話信号又はデジタル送話信号から自然言語に対応する音声信号を抽出し、抽出言語情報３０５、又は特定言語情報３０４として制御部１０６Ｆに出力する。ここで、特定言語情報３０４とは、ユーザが終話状態であるかどうかの判定に用いるデジタル音声信号である。特定言語情報３０４としては、ユーザが終話時に発する言葉、例えば「さようなら」や「じゃあね」等であることが好ましい。音声識別部１０９による自然言語に対応する音声信号の抽出処理は、デジタル受話信号とデジタル送話信号のどちらか一方に対して行われても両者に対して行われてもどちらでも構わない。
【００９７】
情報記憶装置１０８Ｆは、メモリ等の記憶装置であり、終話検出処理を実行するか否かを決定するための設定情報を格納する。この設定情報は、操作部１０３の操作によって設定されることが好ましい。又、無線送受信部１０１’から制御部１０６Ｆを介して入力されるデジタル音声信号である特定言語情報３０４を格納する音声記憶メモリ１１０を備える。
【００９８】
第６の実施の形態における制御部１０６Ｆは、ＣＰＵに例示される演算処理装置とＲＯＭ等の記憶装置とを具備し、記憶装置に格納されたプログラムを実行して、無線通信端末１００内の各装置を制御する。制御部１０６Ｆは、無線信号送受信部１０１に対して制御信号を発行し、通信接続・切断処理や無線信号の送受信処理等を制御する。操作部１０３の切断キー２０５が操作されることで出力される信号に応答して無線信号送受信部１０１に終話通知信号を発行し、通信接続を切断させる。更に、音声識別部１０９から出力される抽出言語情報３０５内に音声記憶メモリ１１０内に登録されている特定言語情報３０４が含まれているかを確認することでユーザが終話状態であるかどうかを判定する。この際、特定言語情報３０４に一致する抽出言語情報３０５を確認すると、制御部１０６Ｆは操作部用照明装置１０４に対し終話通知信号３０３を発行し、操作部用照明装置１０４を点灯させる。又、特定言語情報３０４を登録する処理を行う場合、音声識別部１０９から出力されるデジタル音声信号を特定言語情報３０４として音声記憶メモリ２１１に格納する。
【００９９】
（第６の実施の形態における携帯通信端末の動作）
以下、図１５及び図１６を参照して、第６の実施の形態における携帯通信端末１００Ｆの終話通知動作について詳細に説明される。図１５は、特定言語情報３０５の登録から、終話検出処理に移行するまでの動作の流れを示すフローチャートである。図１６は、携帯通信端末１００Ｆにおける終話検出処理の動作の流れを示すフローチャートである。
【０１００】
図３を参照して、携帯通信端末１００Ｆは待機状態で他の通信装置からの着呼又は発呼処理のためのユーザの操作を待ち受ける（ステップＳ７０１）。ユーザは特定の言葉、例えば、「それではまた」や「失礼します」等の終話時に用いる音声を、送話部２０７を通じて登録する（ステップＳ７０６）。送話部２０７から入力された音声信号は、無線信号送受信部１０１でデジタル信号に変換され、制御部１０６Ｆを介して音声記憶メモリ１１０に格納される（ステップＳ７０６）。
【０１０１】
携帯通信端末１００Ｆ無線通信もユーザによる操作も行われていない場合は待機状態で維持する（ステップＳ７０２Ｎｏ）。ユーザによる応答キー２０４の操作によって他の通信装置からの着信に対する応答処理が行われる場合、又は他の通信装置への発呼処理が実行される場合、他の通信装置と携帯通信端末１００Ｆは通信接続される（ステップＳ７０２Ｙｅｓ）。通信接続され、ユーザによって音声が入力され、無線信号受信部１０１において音声無線信号の送受信が行われ、音声通信状態へ移行する（ステップＳ７０３）。音声通信状態において、制御部１０６Ｆは情報記憶装置１０８Ｆから終話検出処理を実行するか否かを決定するための設定情報を取得する。制御部１０６Ｆは設定情報を参照し、設定が無効の場合は終話検出処理を実行せず（ステップＳ７０４Ｎｏ）、通信接続が切断されるまで音声通信状態が維持される。ステップＳ７０４において、制御部１０６Ｆは設定情報を参照し、設定が有効の場合終話検出処理に移行する（ステップＳ７０４Ｙｅｓ）。制御部１０６Ｆは後述するように終話検出処理を実行する（ステップＳ７０６）。終話検出処理が終了した後に、通信接続が切断されると携帯移動端末１００Ｆは、再び待機状態に移行する（ステップＳ７０６）。終話検出処理が終了した後、通信接続が維持されている場合はステップＳ７０３に移行して音声通信状態を継続し、ステップＳ７０５において再び終話検出処理が実行される。
【０１０２】
図１６を参照して、第６の実施の形態における移動通信端末１００Ｆの終話検出処理が説明される。ステップＳ１０５において、設定情報に基づき終話検出処理に移行した制御部１０６Ｆは、音声識別部１０９から出力される抽出言語情報３０５を取得すると、音声メモリ１１０内の特定言語情報３０５が含まれているかどうかを確認する（ステップＳ８０２）。例えば、抽出言語情報３０５が「それではごきげんよう」という音声情報である場合、制御部１０６Ｆは登録されている抽出言語情報３０５と一致する音声信号を探す。ここでは、抽出言語情報３０５に登録された特定言語情報が含まれないので次の抽出言語情報が入力されるまで待機する（ステップＳ８０２Ｎｏ）。ステップＳ８０２おいて、例えば制御部１０６Ｆに入力された抽出言語情報３０５が「それでは失礼します」を表す音声信号である場合、特定言語情報３０４「失礼します」が含まれているため、制御部１０６Ｆはユーザが終話状態になったと判定し、操作部用照明装置１０４に終話通知信号３０３を出力する。操作部用照明装置１０４は、この終話通知信号３０３に応答して、点灯又は点滅する（ステップＳ８０４）。
【０１０３】
本実施の形態における携帯通信端末１００Ｆによれば、ユーザ又は通信相手が登録済みの言葉を発すると、その言葉に応答して終話状態を判定する。登録された言葉と一致する言葉が携帯通信端末１００Ｆに入力された場合、操作部用照明装置１０４（例えば切断キーに対応するバックライト）を点灯する。暗所で操作するユーザは、この点灯によって切断キーを容易に見つける事ができ、音声通信の終了を円滑に行うことができる。
【０１０４】
本実施の形態では、ステップＳ８０４において操作部用照明装置１０４を点灯するとしたが、制御部１０６Ｅは、無線信号送受信部１０１を制御して他の通信装置との通信接続を切断させても良い。又、操作部用照明装置１０４の点灯と同時、又は逐次に通信接続を切断させても良い。又、抽出言語情報３０５にはユーザが発する音声に基づくデジタル送話信号のみを利用することが好ましい。この際、音声記憶メモリ２１０に登録される特定言語情報３０４もユーザによる音声信号が登録されることが好ましい。
【０１０５】
以上のように、本発明による携帯通信端末１００は、ユーザが音声通信を終了し通信接続を切断しようとする際、この終話状態を自動で検出して、ユーザに通知する事ができる。ユーザへの終話状態の通知には、切断キー２０５のバックライトを点灯することで実現できる。このため、夜間や光量の足りない暗所でもユーザは切断キー２０５の位置を特定する事ができ、円滑に通信接続を切断する事ができる。
【０１０６】
以上、本発明の実施の形態を詳述してきたが、具体的な構成は上記実施の形態に限られるものではなく、本発明の要旨を逸脱しない範囲の変更があっても本発明に含まれる。
【図面の簡単な説明】
【０１０７】
【図１】図１は、本発明による携帯通信端末の第１の実施の形態における構成を示すブロック図である。
【図２】図２は、本発明による携帯通信端末の構成を示す外観構成図である。
【図３】図３は、本発明による携帯通信端末が他の通信装置と通信接続してから終話検出処理に移行するまでの動作の流れを示すフローチャートである。
【図４】図４は、本発明による携帯通信端末の第１の実施の形態における終話検出処理の動作の流れを示すフローチャートである。
【図５】図５は、終話状態と判定した携帯通信端末における操作部用照明装置の点灯パターンを示す概念図である。
【図６】図６は、本発明による携帯通信端末の第２の実施の形態における構成を示すブロック図である。
【図７】図７は、本発明による携帯通信端末の第２の実施の形態における終話検出処理の動作の流れを示すフローチャートである。
【図８】図８は、本発明による携帯通信端末の第３の実施の形態における構成を示すブロック図である。
【図９】図９は、本発明による携帯通信端末の第３の実施の形態における終話検出処理の動作の流れを示すフローチャートである。
【図１０】図１０は、本発明による携帯通信端末の第４の実施の形態における構成を示すブロック図である。
【図１１】図１１は、本発明による携帯通信端末の第４の実施の形態における終話検出処理の動作の流れを示すフローチャートである。
【図１２】図１２は、本発明による携帯通信端末の第５の実施の形態における構成を示すブロック図である。
【図１３】図１３は、本発明による携帯通信端末の第５の実施の形態における終話検出処理の動作の流れを示すフローチャートである。
【図１４】図１４は、本発明による携帯通信端末の第６の実施の形態における構成を示すブロック図である。
【図１５】図１５は、第６の実施の形態における携帯通信端末が他の通信装置と通信接続してから終話検出処理に移行するまでの動作の流れを示すフローチャートである。
【図１６】図１６は、本発明による携帯通信端末の第６の実施の形態における終話検出処理の動作の流れを示すフローチャートである。
【符号の説明】
【０１０８】
１００：携帯通信端末
１０１、１０１’：無線信号送受信部
１０２：音声検出部
１０３：操作部
１０４：操作部用照明装置
１０５Ａ：体温検出部
１０５Ｂ：距離測定部
１０５Ｃ：血流検出部
１０５Ｄ：光量測定部
１０５Ｅ：移動検出部
１０６Ａ、１０６Ｂ、１０６Ｃ、１０６Ｄ、１０６Ｅ、１０６Ｆ：制御部
１０７：タイマ
１０８Ａ、１０８Ｂ、１０８Ｃ、１０８Ｄ、１０８Ｅ、１０８Ｆ：情報記憶装置
１０９：音声識別部
１１０：音声記憶メモリ
２０１：アンテナ
２０２：受話部
２０３：センサ
２０３Ａ：温度センサ
２０３Ｂ：測距センサ
２０３Ｃ：脈拍センサ
２０３Ｄ：ＣＣＤ
２０３Ｅ：角速度センサ
２０４：応答キー
２０５：切断キー
２０６：操作キー
２０７：送話部
２０８：表示部
２０９：受話部周辺
２１０：音声記憶メモリ
３００：状態情報
３００Ａ：温度情報
３００Ａ’：検出体温
３００Ａ”：保存体温
３００Ｂ：測定距離
３００Ｃ：脈拍検出信号
３００Ｄ：測定光量
３００Ｅ：角速度
３０１：音声無感信号
３０２：音声入力信号
３０３：終話通知信号
３０４：特定言語情報
３０５：抽出言語情報
４００Ａ：基準温度
４００Ｂ：基準距離
４００Ｄ：基準光量
４００Ｅ：基準角速度
【図１】
2007189588.tif 000003
【図２】
2007189588.tif 000004
【図３】
2007189588.tif 000005
【図４】
2007189588.tif 000006
【図５】
2007189588.tif 000007
【図６】
2007189588.tif 000008
【図７】
2007189588.tif 000009
【図８】
2007189588.tif 000010
【図９】
2007189588.tif 000011
【図１０】
2007189588.tif 000012
【図１１】
2007189588.tif 000013
【図１２】
2007189588.tif 000014
【図１３】
2007189588.tif 000015
【図１４】
2007189588.tif 000016
【図１５】
2007189588.tif 000017
【図１６】
2007189588.tif 000018